(57)【要約】【課題】複雑なアラインメント作業が不要であり、また、小型化や機構簡略化が可能な電界放出型電子銃を提供する。【解決手段】カソード１とエキストラクタ３とを一体化して構造体６とするとともに、その構造体６及び前記アノード４に被嵌合部１９、２１をそれぞれ設けておき、少なくとも作動時においてそれら被嵌合部１９、２１にそれぞれがたなく嵌合するように、熱膨張係数を考慮した大きさの第１嵌合部１８及び第２嵌合部２０を形成した位置決め部材１７によって、前記構造体６とアノード４との位置決めを行い得るようにした。【選択図】図１
2005026026.tif 000002
【特許請求の範囲】
【請求項１】
カソードとエキストラクタとの間に形成した電界によって当該カソードから電子を放出させるとともに、その電子を前記エキストラクタとアノードとの間に形成した電界レンズを通過させて放射するようにしたものにおいて、
前記カソードとエキストラクタとを一体化して構造体とするとともに、その構造体及び前記アノードに被嵌合部をそれぞれ設けておき、少なくとも作動時においてそれら被嵌合部にそれぞれがたなく嵌合するように、熱膨張係数を考慮した大きさの第１及び第２嵌合部を形成した位置決め部材によって、前記構造体とアノードとの位置決めを行い得るようにしたことを特徴とする電界放出型電子銃。
【請求項２】
位置決め部材がセラミックを素材とするものである請求項１記載の電界放出型電子銃。
【請求項３】
前記位置決め部材が筒状をなすものであり、その外周面に設定した第１嵌合部が前記アノードに設けた被嵌合部である凹部に嵌合するとともに、その内周面に設定した第２嵌合部が前記構造体の被嵌合部であるアノード側先端部に嵌合し、前記構造体とアノードとの、中心軸に対するラジアル方向の位置決めが行われるように構成している請求項１又は２記載の電界放出型電子銃。
【請求項４】
前記位置決め部材が、前記ラジアル方向に延出する壁部を有するものであり、その壁部が前記構造体とアノードとの間に挟まれることにより、前記構造体とアノードとの、中心軸方向の位置決めが行われるように構成している請求項３記載の電界放出型電子銃。
【請求項５】
前記構造体が、カソードを固定支持する絶縁性を有したカソード支持体とそのカソード支持体の外周にがたなく固定された筒状のサプレッサとをさらに備え、そのサプレッサに絶縁スペーサを介して筒状のエキストラクタを外嵌させているものである請求項１、２、３又は４記載の電界放出型電子銃。
【請求項６】
前記エキストラクタにラジアル方向に進退可能に取り付けられた複数の調整部材をさらに備え、それら調整部材によりサプレッサ又はカソード支持体を押圧し、エキストラクタとサプレッサ及びカソード支持体との前記ラジアル方向の位置決めを行い得るように構成している請求項５記載の電界放出型電子銃。
【請求項７】
前記エキストラクタが、ねじ送り機構を介して中心軸方向に結合した一対のエキストラクタ要素を備えたものであり、前記サプレッサを各エキストラクタ要素の対向面間に絶縁スペーサを介して挟み込んで固定するように構成している請求項６記載の電界放出型電子銃。
【請求項８】
カソード側のエキストラクタ要素に前記調整部材を取り外し可能に取り付けている請求項７記載の電界放出型電子銃。
【請求項９】
前記調整部材が、サプレッサ及びカソード支持体とエキストラクタとの前記中心軸方向の位置決めを行い得るものである請求項６記載の電界放出型電子銃。
【請求項１０】
前記カソード、サプレッサ及びエキストラクタの電極部を、電子の射出方向の反対側に設けるようにしている請求項５、６、７、８又は９記載の電界放出型電子銃。
【請求項１１】
内部排気のための気抜き孔を、円周方向に沿って等間隔かつ４の倍数個設けるようにしている請求項１、２、３、４、５、６、７、８、９又は１０記載の電界放出型電子銃。
【発明の詳細な説明】
【０００１】
【発明の属する技術分野】
【０００２】
本発明は、電子顕微鏡、測長機、電子ビーム露光機、電子ビームテスターなどの電子銃利用機器に用いられる電界放出型電子銃に関するものである。
【０００３】
【従来の技術】
【０００４】
前記電子銃利用機器に用いられるこの種の電子銃は、一般的に電子を発する本体部と、そこで発せられた電子を加速し輸送する輸送部とで構成されている。本体部とは、例えばカソードとその周囲に取り付けられたサプレッサであり、輸送部とは、エキストラクタ（引出電極）とアノードである。
【０００５】
ところで本体部と輸送部との位置関係に物理的なずれがあると、本体部で高次の非点性収差が生成されるうえ、その非点性収差は前記輸送部では補正しきれないため、それらの間の機械軸調整（アラインメント）が必要である。
【０００６】
そこで従来は、図１、図２、あるいは特許文献１の図１等に示すように、前記本体部を外部（大気側）から直接動かすフィールドスルー機構を設け、電子線を真空中で射出しながらその断面を観察するなどして、前記フィールドスルー機構により本体部の位置調整（アラインメント）を実施している。
【０００７】
【特許文献１】
【０００８】
特開２０００−２９４１８２公報
【０００９】
【発明が解決しようとする課題】
【００１０】
ところが、前記フィールドスルー機構によるアラインメントは電子線を射出しながら行わなければならず、負担の大きい作業である。また、このフィールドスルー機構は、内部を真空に保ったまま外部から位置調整する構造であるため、その機構がそもそも複雑であるうえ、取付時に傾くおそれがあり、それに対しては対処できない。
【００１１】
さらに、このフィールドスルー機構が設けられる電子銃利用機器側の構造をも複雑にせざるを得ないうえ、電子銃もフィールドスルー機構によるアラインメントに対応すべく、その本体部を可動構造にしなければならないことからその構造が複雑かつ大がかりなものとなる。
【００１２】
くわえて、このように真空中に種々の動作機構が配置されることは、真空に接する機構部品の表面積が増大することであり、真空度の劣化にもつながる。
【００１３】
また摺動部分には、溶着を防止するために異種金属を用いなければならないなどの設計上の制約も生じる。
【００１４】
そこで本発明は、本体部と輸送部とに構造を分けるという従来の発想から完全に脱却したものであって、カソードからエキストラクタに至る機構を一体化して独立した構造体とすることにより、構造体単独でのアラインメントを真空外で予め行えるようにするとともに、アノードと前記構造体とを単純な嵌合で位置決めできるようにすることにより、複雑なアラインメント作業を不要とする一方、前記フィールドスルー機構等の機械軸調整機構や、それに対応するための電子銃あるいは電子銃利用機器側の構造を不要とすることにより、電子銃の機構簡略化とそれに伴う大幅な小型化及び電子銃利用機器側の構造簡略化を可能とすることをその主たる所期課題としたものである。
【００１５】
【課題を解決するための手段】
【００１６】
すなわち本発明に係る電界放出型電子銃は、カソードとエキストラクタとの間に形成した電界によって当該カソードから電子を放出させるとともに、その電子を前記エキストラクタとアノードとの間に形成した電界レンズを通過させて放射するようにしたものであって、前記カソードとエキストラクタとを一体化して構造体とするとともに、その構造体及び前記アノードに被嵌合部をそれぞれ設けておき、少なくとも作動時においてそれら被嵌合部にそれぞれがたなく嵌合するように、熱膨張係数を考慮した大きさの第１及び第２嵌合部を形成した位置決め部材によって、前記構造体とアノードとの位置決めを行い得るようにしたことを特徴とする。
【００１７】
前記位置決めに必要な加工精度を容易に担保でき、しかも絶縁性に優れた位置決め部材としては、セラミックを素材とするものが好ましい。
【００１８】
前記構造体とアノードとの中心軸に対するラジアル方向の位置決めを行う場合に、製造が簡単でコスト的にも好ましい位置決め部材の具体的態様としては、前記位置決め部材が筒状をなすものであり、その外周面に設定した第１嵌合部が前記アノードに設けた被嵌合部である凹部に嵌合するとともに、その内周面に設定した第２嵌合部が前記構造体の被嵌合部であるアノード側先端部に嵌合し、前記構造体とアノードとの、中心軸に対するラジアル方向の位置決めが行われるように構成しているものを挙げることができる。
【００１９】
さらに構造体とアノードとの中心軸方向の位置決め機能をも、前記位置決め部材に具備させるには、前記位置決め部材が、前記ラジアル方向に延出する壁部を有し、その壁部が前記構造体とアノードとの間に挟まれることにより、前記中心軸方向の位置決めが行われるように構成しているものが望ましい。
【００２０】
一方、構造体を小型化するためには、前記構造体が、カソードを固定支持する絶縁性を有したカソード支持体とそのカソード支持体の外周にがたなく固定された筒状のサプレッサとをさらに備え、そのサプレッサに絶縁スペーサを介して筒状のエキストラクタを外嵌させているものであることが好ましい。このようなものであれば、構造体が多重筒構造となり、無駄なスペースを排除することができる。
【００２１】
エキストラクタとサプレッサ及びカソード支持体との前記ラジアル方向の位置決めを行うための具体的態様としては、前記エキストラクタにラジアル方向に進退可能に取り付けられた複数の調整部材をさらに備え、それら調整部材によりサプレッサ又はカソード支持体を押圧し、エキストラクタとサプレッサ及びカソード支持体との前記ラジアル方向の位置決めを行い得るように構成しているものを挙げることができる。
【００２２】
エキストラクタ内にサプレッサやカソード等を容易に組み込めるようにするには、前記エキストラクタが、ねじ送り機構を介して中心軸方向に結合した一対のエキストラクタ要素を備え、前記サプレッサを各エキストラクタ要素の対向面間に絶縁スペーサを介して挟み込んで固定するように構成してあるものが望ましい。いずれかのエキストラクタ要素を受けとし、一方向からの組み込みが可能となるからである。
【００２３】
かかる構成の場合、カソード側のエキストラクタ要素に前記調整部材を取り外し可能に取り付けているものであれば、より好適に真空度を担保できる。
【００２４】
なぜならば、真空度を担保するには真空内に配置される部品はできるだけ少ない方がよいが、上述の構成であれば、調整部材を用いて位置決め後、エキストラクタ要素によってサプレッサを狭圧固定することにより、調整部材を取り外した状態で、真空チャンバ内に電子銃を配置することができるからである。
【００２５】
さらに、調整部材がカソード側のエキストラクタ要素に取り付けてあってカソード近傍を押圧することとなることから、カソードとエキストラクタの位置関係を正確に調整することができる。
【００２６】
また、ここで調整部材とは例えばエキストラクタに形成しためねじ孔に螺合して進退するおねじ部材であるが、このような構成であれば、このおねじ部材を取り外した後のめねじ孔は電子銃内部の排気のための気抜き孔としても用いることができる。
【００２７】
もちろん、前記調整部材によって、サプレッサ及びカソード支持体とエキストラクタとの前記中心軸方向の位置決めを行い得るようにし、この調整部材にエキストラクタとサプレッサ又はカソード支持体とを固定する固定具としての役割を担わせるようにしてもよい。
【００２８】
電極部を一括して取り出せるようにし、電子銃の小型化をより促進するとともに配線作業の簡単化等を図るためには、前記カソード、サプレッサ及びエキストラクタの電極部を、電子の射出方向の反対側に設けているものが好ましい。
【００２９】
本発明のような多重筒構造の構造体の場合、内部排気のための気抜き孔が必要であるが、その気抜き孔による電界への影響をキャンセルするためには、気抜き孔を、円周方向に沿って等間隔かつ４の倍数個設けるようにすることが望ましい。
【００３０】
【発明の実施の形態】
【００３１】
以下に本発明の一実施形態について図面を参照して説明する。
【００３２】
本実施形態にかかる電子銃は、図３、図４に示すように、カソードであるエミッタチップ１と、そのエミッタチップ１を加熱するためのフィラメント２と、前記エミッタチップ１の先端に強い電界を作り、電子を放出させるためのエキストラクタ３と、そのエキストラクタ３との間で電界レンズを形成し、エミッタチップ１から放出された電子をさらに加速するとともにその軌道にレンズ作用を及ぼすアノード４と、エミッタチップ１の先端以外の部位で発生する電子を排除するサプレッサ５とを備えた加熱型ＦＥ電子銃と称されるもので、電子顕微鏡（ＳＥＭ）や電子線マイクロアナライザ（ＥＰＭＡ）の構成要素として、図示しない真空チャンバ内に配置される。
【００３３】
しかしてこの電子銃は、前記エミッタチップ１、フィラメント２、サプレッサ５及びエキストラクタ３を一体化して構造体６とするとともに、その構造体６と前記アノード４との相対的な位置決めを、後述する位置決め部材１７を介在させて嵌合することで行えるようにしたものである。
【００３４】
まず構造体６から説明する。
【００３５】
この構造体６は、図３、図４に示すように、ヘアピンフィラメント２及びその先端部にスポット溶接等で取り付けられたエミッタチップ１と、それらフィラメント２及びエミッタチップ１を保持するカソード支持体たる円柱状のステム７と、そのステム７の外周にがた無く外嵌し固定された円筒状のサプレッサ５と、そのサプレッサ５に絶縁スペーサ８を介して外嵌する円筒状のエキストラクタ３とを備えている。
【００３６】
ステム７は、例えばセラミック等の絶縁性を有する素材で作られたもので、フィラメント２の両端にスポット溶接等で接続された金属棒である一対のフィラメント電極１３を内部に貫通させて保持することにより、前記フィラメント２及びエミッタチップ１を固定保持する。
【００３７】
サプレッサ５は、その内部にステム７、フィラメント２及びエミッタチップ１を収容する金属製のもので、ステム７側の一端面が開口し、他端面が円錐状に突出する底壁５１で閉塞されてなる。その底壁５１の中央には電子放出孔９が貫通させてあり、その電子放出孔９内であってサプレッサ５の中心軸上に前記エミッタチップ１が配置されるようにしてある。
【００３８】
エキストラクタ３は、前記サプレッサ５に外嵌してこれを内部に収容する金属製のもので、その内周径を前記サプレッサ５の外周径よりも大きく設定し、サプレッサ５と所定の離間距離を保つようにしてある。本実施形態におけるエキストラクタ３は、ねじ送り機構２５を介して中心軸方向に結合した一対のエキストラクタ要素３Ａ，３Ｂからなり、これらエキストラクタ要素３Ａ，３Ｂにそれぞれ設けた対向面２６，２７間に、前記サプレッサ５を、リング状をなす一対の絶縁スペーサ８を介して挟み込んで固定する。このエキストラクタ３の両端にはそれぞれ頂壁３１及び底壁３２が設けてあり、底壁３２の中央にはエミッタチップ１から放出される電子を挿通させるための電子挿通孔１０が形成してある。なお、前記絶縁スペーサ８は、前記エミッタチップ１とエキストラクタ底壁３２間の中心軸方向の離間距離を規定するためのものであり、エキストラクタ３とサプレッサ５との間に密閉された空間が形成されないように、エキストラクタ内周径よりもその外径を若干小さくし、エキストラクタ内周面との間に若干の隙間が形成されるようにしてある。
【００３９】
一方、エミッタチップ１側のエキストラクタ要素３Ａ、すなわち前記電子挿通孔１０を有するエキストラクタ要素３Ａには、その厚み方向（ラジアル方向）に貫通するめねじ孔１１が、例えば円周方向に等間隔に離間させて４箇所設けてあり、そのめねじ孔１１に調整部材である調整ネジ１２が螺合させてある。そして、これら調整ネジ１２をラジアル方向に独立して螺進退させ前記サプレッサ５の外周面を押圧することにより、エキストラクタ３、より具体的には当該エキストラクタ要素３Ａとサプレッサ５とのラジアル方向の相対位置関係を調整し、エミッタチップ１及び電子放出孔９と電子挿通孔１０との中心軸を合致させ得るように構成してある。
【００４０】
しかして、このように前記調整ネジ１２でこの構造体６におけるラジアル方向のアラインメントを行った後、エキストラクタ要素３Ａ，３Ｂによってサプレッサ５を狭圧固定し、調整ネジ１２を取り外すようにしている。なお、この一連の作業は真空外で行えばよい。
【００４１】
一方、この構造体６においてフィラメント電極１３、サプレッサ電極１４、エキストラクタ電極１５は、全て電子の射出方向の反対側端面から、中心軸方向に沿って延出させてあり、それら電極１３、１４、１５がエキストラクタ３の外周を超えて外に出ないようにしている。
【００４２】
また、サプレッサ５及びエキストラクタ３には、それぞれ内部排気のための気抜き孔１６を、円周方向に沿って等間隔に４つ設けている。
【００４３】
次に位置決め部材１７について説明する。
【００４４】
この位置決め部材１７は、円筒状をなすセラミック製のものであり、その外周面である第１嵌合部１８が、前記アノード４に設けた被嵌合部である凹部１９に嵌合するとともに、その内周面である第２嵌合部２０が、被嵌合部である前記構造体６のアノード側の先端部２１に嵌合するようにしてある。
【００４５】
前記第１嵌合部１８及び第２嵌合部２０は、その中心軸を合致させて形成してあり、エキストラクタ３及びアノード４とこの位置決め部材１７との熱膨張係数の違いを考慮して、少なくとも作動時において前記凹部１９及び構造体先端部２１にそれぞれがたなく嵌合する径に設定してある。
【００４６】
さらにこの位置決め部材１７には、その底部からラジアル方向内向きに延出する所定厚みを有した壁部２４が設けてあり、この壁部２４がアノード４の頂面と構造体６の底面との間に介在してそれらの間の離間距離を規定する。
【００４７】
一方、アノード４に設けた凹部１９は、当該アノード４の電子射出孔２２と中心軸が一致するように設定してある。
【００４８】
したがって、前述したようにアラインメント調整を行った前記構造体６を、この位置決め部材１７を介在させてアノード４の凹部１９に嵌合させることにより、何ら調整することなく、構造体６及びアノード４とのラジアル方向及び軸方向に関する相対的な位置決めを正確に行うことができる。また、嵌合が軸方向に沿って行われるため、構造体６がアノード４に対し傾くこともない。
【００４９】
このように本実施形態によれば、エミッタチップ１からエキストラクタ３に至る機構を一体化し、独立した構造体６としていることから、構造体６単独でのアラインメントを前記調整ネジ１２を利用して真空外で予め行うことができるうえ、アノード４と前記構造体６とを単純な嵌合で位置決め（アラインメント）できるため、従来必要であった複雑なアラインメント作業が不要となる。さらにこのような位置決め部材１７によって、従来必要であったフィールドスルー機構等の機械軸調整機構や、それに対応するための電子銃あるいは電子銃利用機器側の構造が不要となるため、電子銃の機構簡略化とそれに伴う大幅な小型化及び電子銃利用機器側の構造簡略化が可能となる。
【００５０】
また、本実施形態では位置決め部材１７の素材にセラミックを用いているため、前記位置決めに必要な加工精度を容易に担保でき、しかも絶縁性が問題になることもない。
【００５１】
構造体６について言えば、内からステム７、サプレッサ５、エキストラクタ３の順で外嵌していく多重筒構造であり、無駄なスペースを排除することができるうえ、エキストラクタ３が筐体の役割を果たして、専用の筐体を設ける必要が無いため、小型化を促進することができる。くわえてフィラメント電極１３、サプレッサ電極１４、エキストラクタ電極１５が、全て電子の射出方向の反対側端面から、中心軸方向に沿って延出させてあり、それら電極１３，１４，１５がエキストラクタ３の外周を超えて外に出ないようにしているため、この点からも小型化に寄与できる。
【００５２】
また、前記エキストラクタ３が、ねじ送り機構２５を介して中心軸方向に結合した一対のエキストラクタ要素３Ａ，３Ｂを備え、前記サプレッサ５を各エキストラクタ要素３Ａ，３Ｂで挟み込んで固定するように構成してあるため、いずれかのエキストラクタ要素３Ａ，３Ｂを受けとすることにより、一方向からの組み込みが可能となって組み立て作業性の向上にも寄与し得る。
【００５３】
さらに、前述したように、調整ネジ１２でのアラインメントを行った後、その調整ネジ１２を取り外して真空チャンバ内に配置できるため、真空内に配置される部品を可及的に減少させて真空度を担保できる。また、この調整ネジ１２を取り外した後のめねじ孔１１は電子銃内部の排気のための気抜き孔としても機能することとなる。
【００５４】
また、調整ネジ１２がエミッタチップ１側のエキストラクタ要素３Ａに取り付けてあってそのエミッタチップ１近傍を押圧することとなることから、エミッタチップ１とエキストラクタ３の位置関係を正確に調整することができる。
【００５５】
くわえて、気抜き孔１６を円周方向に沿って等間隔に４つ設けているため、それら気抜き孔１６による電界への影響をキャンセルすることができる。
【００５６】
なお、本発明は前記実施形態に限られるものではない。以下の説明において前記実施形態に対応する部材には同一の符号を付すこととする。
【００５７】
図５，図６は、エキストラクタ３が、前記実施形態のようにエキストラクタ要素に分割されていない一体ものである例を示している。この場合、サプレッサ５を固定する必要があるため、前記調整ねじ１２をエキストラクタ３に対するサプレッサ５の固定具として用いており、アラインメント後でもこの調整ねじ１２を取り外すことはない。また、この調整ねじ１２は強度の関係から金属製のものを用いており、この調整ねじ１２によってサプレッサ５を押圧するとサプレッサ５−エキストラクタ３間の絶縁が保てないため、サプレッサ５に大径の孔２８を設け、前記調整ねじ１２をこの孔２８に挿通させて、サプレッサ５に接触しないようにし、ステム７を押圧するようにしている。なお、この調整ねじ１２には、頭のない止めねじタイプのものを用いており、この調整ねじ１２がめねじ孔１１に埋没してエキストラクタ３の外周面より外側に突出しないようにしている。
【００５８】
一方、ここまでに説明してきた構造体６では、サプレッサ５とエキストラクタ３（より正確にはエミッタチップ１とエキストラクタ３の電子挿通孔）との中心軸方向の位置関係は、絶縁スペーサ８により規定され、その変更は絶縁スペーサ８を変えない限りできない構成であったが、図７，図８に示すように、サプレッサ５とエキストラクタ３との中心軸方向の位置関係を可変に調整できるように構成しても構わない。
【００５９】
この図７，図８に示す構造体６は、各エキストラクタ要素３Ａ，３Ｂの開口近傍内周にめねじ３３、３４が形成してあり、円筒状をなし外周面にねじ山３５を形成した中間ねじ２３が、前記各エキストラクタ要素３Ａ，３Ｂのめねじ３３、３４に螺合してこれらを結合するように構成している。この中間ねじ２３は、ステム７を絶縁スペーサ８を介して一方のエキストラクタ要素３Ｂとの間で狭圧固定するもので、このエキストラクタ要素３Ｂから突出した部分に、他方のエキストラクタ要素３Ａ（この例ではエミッタチップ１側のエキストラクタ要素３Ａ）が螺合する。しかしてその螺合の回転角度を調整することで、エミッタチップ１と電子挿通孔１０との距離の微調整を可能としている。
【００６０】
なお、図５、図６に示すもの同様、サプレッサ５のラジアル方向の位置決め及び固定には、エミッタチップ１側のエキストラクタ要素３Ａに取り付けてある調整ねじ１２でステム７を押圧することにより行うようにしている。
【００６１】
本発明は、例えば冷陰極（コールド）ＦＥ電子銃にも適用可能で、このものにおいてはサプレッサが不要であるため、構造体はサプレッサが省略された機構とする必要がある。
【００６２】
その他、本発明はその趣旨を逸脱しない範囲で種々の変形が可能である。
【００６３】
【発明の効果】
【００６４】
以上に詳述したように、本発明によれば、カソードからエキストラクタに至る機構を一体化して独立した構造体とし、その構造体単独でのアラインメントを前記調整ねじを利用して真空外で予め行うことができるようにしているうえ、アノードと前記構造体とを単純な嵌合で位置決め（アラインメント）できるようにしているため、従来必要であった複雑なアラインメント作業が不要となる。
【００６５】
さらにこのような位置決め部材によって、従来必要であったフィールドスルー機構等の機械軸調整機構や、それに対応するための電子銃あるいは電子銃利用機器側の構造が不要となるため、電子銃の機構簡略化とそれに伴う大幅な小型化及び電子銃利用機器側の構造簡略化が可能となる。
【００６６】
【図面の簡単な説明】
【図１】従来の電子銃を示す模式図。
【図２】従来の電子銃を示す模式図。
【図３】本発明の一実施形態を示す電子銃の内部構造を示す縦断面図。
【図４】図３におけるＡ−Ａ線断面図。
【図５】本発明の他の実施形態を示す電子銃の内部構造を示す縦断面図。
【図６】図５におけるＢ−Ｂ線断面図。
【図７】本発明のさらに他の実施形態を示す電子銃の内部構造を示す縦断面図。
【図８】同実施形態における電子銃の分解斜視図。
【符号の説明】
１・・・カソード（エミッタチップ）
３・・・エキストラクタ
３Ａ、３Ｂ・・・エキストラクタ要素
４・・・アノード
５・・・サプレッサ
６・・・構造体
７・・・カソード支持体（ステム）
８・・・絶縁スペーサ
１１・・・調整部材（調整ねじ）
１３・・・カソード電極部（フィラメント電極部）
１４・・・サプレッサ電極部
１５・・・エキストラクタ電極部
１６・・・気抜き孔
１７・・・位置決め部材
１８・・・第１嵌合部（外周面）
１９・・・被嵌合部（アノードの凹部）
２０・・・第２嵌合部（内周面）
２１・・・被嵌合部（構造体の先端部）
２４・・・壁部
２５・・・ねじ送り機構
２６、２７・・・対向面
【図１】
2005026026.tif 000003
【図２】
2005026026.tif 000004
【図３】
2005026026.tif 000005
【図４】
2005026026.tif 000006
【図５】
2005026026.tif 000007
【図６】
2005026026.tif 000008
【図７】
2005026026.tif 000009
【図８】
2005026026.tif 000010